【手続補正書】
【提出日】平成19年11月15日(2007.11.15)
【手続補正１】
【補正対象書類名】特許請求の範囲
【補正対象項目名】全文
【補正方法】変更
【補正の内容】
【特許請求の範囲】
【請求項１】
偏光軸を有するディスプレイのプライバシーフィルタであって、
ａ）前記ディスプレイから受けとられ、前記ディスプレイ偏光軸に沿って略直線的に偏光される光を透過する第１の一軸性複屈折フィルムであって、前記光は前記ディスプレイ偏光軸に沿って実質的に直線的に偏光され、前記第１の複屈折フィルムは、厚さｄ１、およびリターデーション値Ｒを有し、リターデーション値Ｒは、
Ｒ＝（ｎｅ−ｎｏ）ｄ１／ｃｏｓθ
であり、θは前記ディスプレイから前記フィルタに入射する光の角度であり、ｎｏおよびｎｅはそれぞれ前記第１の複屈折フィルムの正常軸および異常軸に沿った屈折率であり、ならびに
ｄ１はＲがθの変化に応答するように２５μｍより大きい第１の一軸性複屈折フィルムと、
ｂ）前記第１の複屈折フィルムから透過された略直線的に偏光される光を受けとるように配置され、所定の偏光軸を有する第１の偏光フィルムと
を備えたことを特徴とするプライバシーフィルタ。
【請求項２】
偏光軸を有するディスプレイのプライバシーフィルタであって、
ａ）前記ディスプレイから受けとられ、光が前記ディスプレイ偏光軸に沿って略直線的に偏光される光を透過する第１の二軸性複屈折フィルムであって、前記第１の複屈折フィルムは、厚さｄ１、および法線に対して測定される角度θで前記フィルムに入射する光のリターデーション値Ｒθを有し、前記リターデーション値Ｒθは、
Ｒθ〜＝Ｒｏ［１＋ｓｉｎ２θ／２ｎｉｎａｖｇ］
という関係によって近似され、前記第１の二軸性複屈折フィルムは、当該フィルム平面を定める単位ベクトルａおよびｂ、ならびに前記フィルム平面の法線を定める単位ベクトルｃを有するものとして特徴付けられ、
Ｒｏは、Ｒｏ＝［ｎｂ−ｎａ］ｄ１であって、垂直の入射光のリターデーション値であり、ｎａｖｇは、ｎａｖｇ＝（ｎａ＋ｎｂ＋ｎｃ）／３であって、前記二軸性複屈折フィルムの平均屈折率であり、ｎｉは、前記ディスプレイの垂直方向を示す前記単位ベクトル（ａ、ｂ、またはｃ）に対応するようにｎａ、ｎｂ、ｎｃから成るグループから選択され、および
ｄ１は、Ｒがθの変化に対応するように２５μｍより大きい第１の二軸性複屈折フィルムと、
ｂ）前記第１の複屈折フィルムから透過された略直線的に偏光される光を受けとるように配置され、所定の偏光軸を有する第１の偏光フィルムと
を備えたことを特徴とするプライバシーフィルタ。
【請求項３】
ａ）前記ディスプレイの偏光軸を定めるための偏光軸を有する入力偏光子と、
ｂ）前記ディスプレイから前記入力偏光子を介して受けとられた光を透過する第１の一軸性複屈折フィルムであって、前記光は、前記偏光軸に沿って略直線的に偏光され、前記第１の複屈折フィルムは、厚さｄ１およびリターデーション値Ｒを有し、リターデーション値Ｒは、
Ｒ＝（ｎｅ−ｎｏ）ｄ１／ｃｏｓθ
であり、θは前記ディスプレイから前記フィルタに入射する光の角度であり、ｎｏおよびｎｅはそれぞれ前記第１の複屈折フィルムの正常軸および異常軸に沿った屈折率であり、ならびに
ｄ１はＲがθの変化に応答するように２５μｍより大きい第１の一軸性複屈折フィルムと、
ｃ）前記第１の複屈折フィルムから透過された略直線的に偏光される光を受けとるように配置される偏光軸を有する第１の偏光フィルムと
を備えたことを特徴とするディスプレイのプライバシーフィルタ。
【請求項４】
ａ）ディスプレイの偏光軸を定めるための偏光軸を有する入力偏光子と、
ｂ）前記入力偏光子を介して前記ディスプレイから受けとられた光を透過する第１の二軸性複屈折フィルムであって、前記光は、前記偏光軸に沿って略直線的に偏光され、前記第１の複屈折フィルムは、厚さｄ１および法線に対して測定される角度θで前記フィルムに入射する光のリターデーション値Ｒθを有し、前記リターデーション値Ｒθは、
Ｒθ〜＝Ｒｏ［１＋ｓｉｎ２θ／２ｎｉｎａｖｇ］
という関係によって近似され、前記第１の二軸性複屈折フィルムは当該フィルム平面を定める単位ベクトルａおよびｂ、ならびに前記フィルム平面の法線を定める単位ベクトルｃを有するものとして特徴付けられ、
Ｒｏは、Ｒｏ＝［ｎｂ−ｎａ］ｄ１であって、垂直の入射光のリターデーションであり、ｎａｖｇは、ｎａｖｇ＝（ｎａ＋ｎｂ＋ｎｃ）／３であって、前記二軸性複屈折フィルムの平均屈折率であり、ｎｉは、前記ディスプレイの縦方向を示す前記単位ベクトル（ａ、ｂ、またはｃ）に対応するようにｎａ、ｎｂ、ｎｃから成るグループから選択され、および
ｄ１はＲがθの変化に対応するように２５μｍより大きい第１の二軸性複屈折フィルムと、
ｃ）前記第１の複屈折フィルムから透過された前記略直線的に偏光される光を受けるように配置される、所定の偏光軸を有する第１の偏光フィルムと
を備えたことを特徴とするディスプレイのプライバシーフィルタ。
【手続補正２】
【補正対象書類名】明細書
【補正対象項目名】００８１
【補正方法】変更
【補正の内容】
【００８１】
表６のデータに基づいて、この実施例のプライバシーフィルタの測定されたプライバシー角度（透過に対して測定された）は、６０度より大きく７０度より小さい値となる。さらなる詳細については、実施例２の最後の説明および用語集のプライバシー角度の定義を参照されたい。
［１］  偏光軸を有するディスプレイのプライバシーフィルタであって、
ａ）前記ディスプレイから受けとられ、前記ディスプレイ偏光軸に沿って略直線的に偏光される光を透過する第１の一軸性複屈折フィルムであって、前記光は前記ディスプレイ偏光軸に沿って実質的に直線的に偏光され、前記第１の複屈折フィルムは、厚さｄ１、およびリターデーション値Ｒを有し、リターデーション値Ｒは、
Ｒ＝（ｎｅ−ｎｏ）ｄ１／ｃｏｓθ
であり、θは前記ディスプレイから前記フィルタに入射する光の角度であり、ｎｏおよびｎｅはそれぞれ前記第１の複屈折フィルムの正常軸および異常軸に沿った屈折率であり、ならびに
ｄ１はＲがθの変化に応答するように２５μｍより大きい第１の一軸性複屈折フィルムと、
ｂ）前記第１の複屈折フィルムから透過された略直線的に偏光される光を受けとるように配置され、所定の偏光軸を有する第１の偏光フィルムと
を備えたことを特徴とするプライバシーフィルタ。
［２］  ｃ）前記第１の偏光フィルムから受けとられ、前記第１の偏光フィルムの偏光軸に対して略直線的に偏光される光を透過し、２５μｍ以上の厚さｄ２を有する第２の複屈折フィルムと、
ｄ）前記第２の複屈折フィルムから透過された略直線的に偏光される光を受けとるように配置され、所定の偏光軸を有する第２の偏光フィルムと
をさらに備えたことを特徴とする［１］に記載のプライバシーフィルタ。
［３］  ｅ）前記第２の偏光フィルムから受けとられ、前記第２の偏光フィルムの偏光軸に対して略直線的に偏光された光を透過し、前記第１の複屈折フィルムに等しく、および所定の偏光軸を有する第３の一軸性複屈折フィルム
をさらに備えたことを特徴とする［２］に記載のプライバシーフィルタ。
［４］  前記ディスプレイのプライバシー保護効果をもたらす位置に応じて、前記第１の偏光フィルムまたは前記第２の偏光フィルムのいずれかに隣接するように前記第１の複屈折フィルムを回転させ、配置することができるヒンジをさらに備えたことを特徴とする［２］に記載のプライバシーフィルタ。
［５］  前記第１および第２の複屈折フィルムは、前記電磁スペクトルの可視光および赤外線領域内において複屈折の特性を有することを特徴とする［２］に記載のプライバシーフィルタ。
［６］  前記第１および第２の複屈折フィルムは、約０．００００２から約０．００１の範囲のｎｅ−ｎｏ値を有することを特徴とする［２］に記載のプライバシーフィルタ。
［７］  前記第１および第２の複屈折フィルムは、約２５μｍから約１０００μｍの範囲の厚さを有することを特徴とする［２］に記載のプライバシーフィルタ。
［８］  前記第１の偏光フィルムの偏光軸は、前記ディスプレイ偏光軸に対して９０度プラスまたはマイナス６０度である第１の角度で配向され、および前記第２の偏光フィルムの偏光軸は、前記ディスプレイ偏光軸に対して９０度プラスまたはマイナス６０度である第２の角度で配向されることを特徴とする［２］に記載のプライバシーフィルタ。
［９］  前記第１の偏光フィルムの偏光軸は、前記ディスプレイ偏光軸に対して９０度プラスまたはマイナス１５度である第１の角度で配向され、前記第２の偏光フィルムの偏光軸は、前記ディスプレイ偏光軸に対して９０度プラスまたはマイナス１５度である第２の角度で配向され、前記第１の一軸性複屈折フィルムの光軸は、前記第１の角度を略二等分し、および前記第２の一軸性複屈折フィルムの光軸は、前記第２の角度を略二等分することを特徴とする［８］に記載のプライバシーフィルタ。
［１０］  前記第１の偏光フィルムの偏光軸は、前記ディスプレイ偏光軸に直交することを特徴とする［８］に記載のプライバシーフィルタ。
［１１］  前記第２の偏光フィルムの偏光軸は、前記ディスプレイ偏光軸に直交することを特徴とする［１０］に記載のプライバシーフィルタ。
［１２］  （ｎｅ−ｎｏ）ｄ１＝（２ｎ−１）λ／２
であって、式中λは前記ディスプレイから前記フィルタに入射する光の波長であり、（ｎｅ−ｎｏ）ｄｌは前記ディスプレイに垂直な方向で前記フィルタへ入射する光に対する前記第１の複屈折フィルムのリターデーション値Ｒであり、およびｎは整数であることを特徴とする［１］に記載のプライバシーフィルタ。
［１３］  ｎ＝１であり、および前記第１の複屈折フィルムのリターデーション値Ｒは５０ｎｍから３５０ｎｍの範囲であることを特徴とする［１２］に記載のプライバシーフィルタ。
［１４］  （ｎｅ−ｎｏ）ｄ２＝（２ｎ−１）λ／２
であって、式中λは前記ディスプレイから前記フィルタに入射する光の波長であり、（ｎｅ−ｎｏ）ｄ２はリターデーション値Ｒ２を有する前記第２の複屈折フィルムに関連して、前記ディスプレイに垂直な方向で前記フィルタへ入射する光に対する前記第２の複屈折フィルムのリターデーション値Ｒ２であり、およびｎは整数であることを特徴とする［２］に記載のプライバシーフィルタ。
［１５］  ｎ＝１であり、および前記第２の複屈折フィルムのリターデーション値Ｒ２は１０ｎｍから２５０ｎｍの範囲であることを特徴とする［１４］に記載のプライバシーフィルタ。
［１６］  前記第１の偏光フィルムの前記偏光軸は、前記ディスプレイ偏光軸に垂直に配向されることを特徴とする［１２］に記載のプライバシーフィルタ。
［１７］  （ｎｅ−ｎｏ）ｄ１＝ｎλ
であって、式中λは前記ディスプレイから前記フィルタに入射する光の波長であり、（ｎｅ−ｎｏ）ｄｌは前記ディスプレイに垂直な方向で前記フィルタへ入射する光に対する前記第１の複屈折フィルムのリターデーション値Ｒであり、およびｎは整数であることを特徴とする［１］に記載のプライバシーフィルタ。
［１８］  ｎ＝１であり、および前記第１の複屈折フィルムのリターデーション値Ｒは５０ｎｍから３５０ｎｍの範囲にあることを特徴とする［１７］に記載のプライバシーフィルタ。
［１９］  （ｎｅ−ｎｏ）ｄ２＝ｎλ
であって、式中λは前記ディスプレイから前記フィルタに入射する光の波長であり、（ｎｅ−ｎｏ）ｄ２はリターデーション値Ｒ２を有する前記第２の複屈折フィルムに関連し、前記ディスプレイに垂直な方向で前記フィルタへ入射する光に対する前記第２の複屈折フィルムの前記リターデーション値Ｒ２であり、およびｎは整数である
ことを特徴とする［２］に記載のプライバシーフィルタ。
［２０］  ｎ＝１であり、および前記第２の複屈折フィルムのリターデーション値Ｒ２は１０ｎｍから２５０ｎｍの範囲にあることを特徴とする［１９］に記載のプライバシーフィルタ。
［２１］  前記第１の偏光フィルムの偏光軸は、前記ディスプレイ偏光軸に平行に配向されることを特徴とする［１７］に記載のプライバシーフィルタ。
［２２］  偏光軸を有するディスプレイのプライバシーフィルタであって、
ａ）前記ディスプレイから受けとられ、光が前記ディスプレイ偏光軸に沿って略直線的に偏光される光を透過する第１の二軸性複屈折フィルムであって、前記第１の複屈折フィルムは、厚さｄ１、および法線に対して測定される角度θで前記フィルムに入射する光のリターデーション値Ｒθを有し、前記リターデーション値Ｒθは、
Ｒθ〜＝Ｒｏ［１＋ｓｉｎ２θ／２ｎｉｎａｖｇ］
という関係によって近似され、前記第１の二軸性複屈折フィルムは、当該フィルム平面を定める単位ベクトルａおよびｂ、ならびに前記フィルム平面の法線を定める単位ベクトルｃを有するものとして特徴付けられ、
Ｒｏは、Ｒｏ＝［ｎｂ−ｎａ］ｄ１であって、垂直の入射光のリターデーション値であり、ｎａｖｇは、ｎａｖｇ＝（ｎａ＋ｎｂ＋ｎｃ）／３であって、前記二軸性複屈折フィルムの平均屈折率であり、ｎｉは、前記ディスプレイの垂直方向を示す前記単位ベクトル（ａ、ｂ、またはｃ）に対応するようにｎａ、ｎｂ、ｎｃから成るグループから選択され、および
ｄ１は、Ｒがθの変化に対応するように２５μｍより大きい第１の二軸性複屈折フィルムと、
ｂ）前記第１の複屈折フィルムから透過された略直線的に偏光される光を受けとるように配置され、所定の偏光軸を有する第１の偏光フィルムと
を備えたことを特徴とするプライバシーフィルタ。
［２３］  ｃ）前記第１の偏光フィルムから受けとられ、前記第１の偏光フィルムの偏光軸に対して略直線的に偏光される光を透過し、２５μｍ以上の厚さｄ２を有する第２の複屈折フィルムと、
ｄ）前記第２の複屈折フィルムから透過された略直線的に偏光される光を受けとるように配置され、所定の偏光軸を有する第２の偏光フィルムと
をさらに備えたことを特徴とする［２２］に記載のプライバシーフィルタ。
［２４］  前記第２の偏光フィルムから受けとられ、前記第２の偏光フィルムの偏光軸に対して略直線的に偏光される光を透過し、第１の複屈折フィルムに等しく、および所定の偏光軸を有する第３の一軸性複屈折フィルム
をさらに備えたことを特徴とする［２３］に記載のプライバシーフィルタ。
［２５］  前記ディスプレイの前記プライバシー保護効果をもたらす位置に応じて、前記第１の偏光フィルムまたは前記第２の偏光フィルムのいずれかに隣接するように、前記第１の複屈折フィルムを回転させ、および配置することができるヒンジをさらに備えたことを特徴とする［２３］に記載のプライバシーフィルタ。
［２６］  前記第１の偏光フィルムの偏光軸は、前記ディスプレイ偏光軸に対する９０度プラスまたはマイナス６０度である第１の角度で配向され、および前記第２の偏光フィルムの偏光軸は、前記ディスプレイ偏光軸に対する９０度プラスまたはマイナス６０度である第２の角度で配向されることを特徴とする［２３］に記載のプライバシーフィルタ。
［２７］  前記第１の偏光フィルムの偏光軸は、前記ディスプレイ偏光軸に対して９０度プラスまたはマイナス１５度である第１の角度で配向され、前記第２の偏光フィルムの偏光軸は、前記ディスプレイ偏光軸に対して９０度プラスまたはマイナス１５度である第２の角度で配向され、前記第１の一軸性複屈折フィルムの光軸は、前記第１の角度を略二等分し、前記第２の一軸性複屈折フィルムの光軸は、前記第２の角度を略二等分することを特徴とする［２６］に記載のプライバシーフィルタ。
［２８］  前記第１の偏光フィルムの偏光軸は、前記ディスプレイ偏光軸に直交することを特徴とする［２６］に記載のプライバシーフィルタ。
［２９］  前記第２の偏光フィルムの偏光軸は、前記ディスプレイ偏光軸に直交することを特徴とする［２８］に記載のプライバシーフィルタ。
［３０］  Δｎｘｙｄ＝（２ｎ−１）λ／２
であって、式中λは前記ディスプレイから前記フィルタ上に入射する光の波長であり、ｎは整数であり、ｄは前記第１の二軸性複屈折フィルムのフィルム厚であり、およびΔｎｘｙは、前記平面内複屈折であることを特徴とする［２２］に記載のプライバシーフィルタ。
［３１］  ｎ＝１であり、前記第１の複屈折フィルムのリターデーション値Ｒは、５０ｎｍから３５０ｎｍにわたることを特徴とする［３０］に記載のプライバシーフィルタ。
［３２］  Δｎｘｙｄ＝（２ｎ−１）λ／２
であって、式中λは前記ディスプレイから前記フィルタに入射する光の波長であり、Δｎｘｙｄは、リターデーション値Ｒ２を有する前記第２の複屈折フィルムに関連し、前記ディスプレイに垂直な方向で前記フィルタに入射する光の前記第２の複屈折フィルムのリターデーション値Ｒ２であり、およびｎは整数であることを特徴とする［２３］に記載のプライバシーフィルタ。
［３３］  ｎ＝１であり、および前記第２の複屈折フィルムのリターデーション値Ｒ２は、１０ｎｍから２５０ｎｍの範囲であることを特徴とする［３２］に記載のプライバシーフィルタ。
［３４］  前記第１の偏光フィルムの偏光軸は、前記ディスプレイ偏光軸に垂直に配向されることを特徴とする［３０］に記載のプライバシーフィルタ。
［３５］  Δｎｘｙｄ＝ｎλ
であって、式中λは前記ディスプレイから前記フィルタに入射する光の波長であり、Δｎｘｙｄは前記ディスプレイに垂直な方向で前記フィルタに入射する光の前記第１の複屈折フィルムのリターデーション値Ｒであり、およびｎは整数であることを特徴とする［２２］に記載のプライバシーフィルタ。
［３６］  ｎ＝１であり、および前記第１の複屈折フィルムのリターデーション値Ｒは、５０ｎｍから３５０ｎｍの範囲であることを特徴とする［３５］に記載のプライバシーフィルタ。
［３７］  Δｎｘｙｄ＝ｎλ
であって、式中λは、前記ディスプレイから前記フィルタに入射する光の波長であり、Δｎｘｙｄは、リターデーション値Ｒ２を有する前記第２の複屈折フィルムに関連し、前記ディスプレイに垂直な方向で前記フィルタに入射する光の前記第２の複屈折フィルムのリターデーション値Ｒ２であり、およびｎは整数である式が満たされることを特徴とする［２３］に記載のプライバシーフィルタ。
［３８］  ｎ＝１であり、および前記第２の複屈折フィルムのリターデーション値Ｒ２は、１０ｎｍから２５０ｎｍの範囲であることを特徴とする［３７］に記載のプライバシーフィルタ。
［３９］  前記第１の偏光フィルムの偏光軸は、前記ディスプレイ偏光軸に平行に配向されることを特徴とする［３５］に記載のプライバシーフィルタ。
［４０］  ａ）前記ディスプレイの偏光軸を定めるための偏光軸を有する入力偏光子と、
ｂ）前記ディスプレイから前記入力偏光子を介して受けとられた光を透過する第１の一軸性複屈折フィルムであって、前記光は、前記偏光軸に沿って略直線的に偏光され、前記第１の複屈折フィルムは、厚さｄ１およびリターデーション値Ｒを有し、リターデーション値Ｒは、
Ｒ＝（ｎｅ−ｎｏ）ｄ１／ｃｏｓθ
であり、θは前記ディスプレイから前記フィルタに入射する光の角度であり、ｎｏおよびｎｅはそれぞれ前記第１の複屈折フィルムの正常軸および異常軸に沿った屈折率であり、ならびに
ｄ１はＲがθの変化に応答するように２５μｍより大きい第１の一軸性複屈折フィルムと、
ｃ）前記第１の複屈折フィルムから透過された略直線的に偏光される光を受けとるように配置される偏光軸を有する第１の偏光フィルムと
を備えたことを特徴とするディスプレイのプライバシーフィルタ。
［４１］  ａ）ディスプレイの偏光軸を定めるための偏光軸を有する入力偏光子と、
ｂ）前記入力偏光子を介して前記ディスプレイから受けとられた光を透過する第１の二軸性複屈折フィルムであって、前記光は、前記偏光軸に沿って略直線的に偏光され、前記第１の複屈折フィルムは、厚さｄ１および法線に対して測定される角度θで前記フィルムに入射する光のリターデーション値Ｒθを有し、前記リターデーション値Ｒθは、
Ｒθ〜＝Ｒｏ［１＋ｓｉｎ２θ／２ｎｉｎａｖｇ］
という関係によって近似され、前記第１の二軸性複屈折フィルムは当該フィルム平面を定める単位ベクトルａおよびｂ、ならびに前記フィルム平面の法線を定める単位ベクトルｃを有するものとして特徴付けられ、
Ｒｏは、Ｒｏ＝［ｎｂ−ｎａ］ｄ１であって、垂直の入射光のリターデーションであり、ｎａｖｇは、ｎａｖｇ＝（ｎａ＋ｎｂ＋ｎｃ）／３であって、前記二軸性複屈折フィルムの平均屈折率であり、ｎｉは、前記ディスプレイの縦方向を示す前記単位ベクトル（ａ、ｂ、またはｃ）に対応するようにｎａ、ｎｂ、ｎｃから成るグループから選択され、および
ｄ１はＲがθの変化に対応するように２５μｍより大きい第１の二軸性複屈折フィルムと、
ｃ）前記第１の複屈折フィルムから透過された前記略直線的に偏光される光を受けるように配置される、所定の偏光軸を有する第１の偏光フィルムと
を備えたことを特徴とするディスプレイのプライバシーフィルタ。